(57)【要約】      （修正有）【課題】表面層の表面に水滴が留まることなく常に乾いた状態を維持することのできる安定性のあるコースターを提供する。【解決手段】小孔の有る凹凸状のポリエステル材料で内側のやや厚手となる吸水性材料よりなる吸水層３を被覆して表面層２とし、吸水層の裏面側に硬い生地よりなる裏面層４を設けたことを特徴とする。【選択図】図１
0003186127.tif 000002
【実用新案登録請求の範囲】
【請求項１】
小孔の有る凹凸状のポリエステル材料で内側のやや厚手となる吸水性材料よりなる吸水層を被覆して表面層とし、該吸水層の裏面側に硬い生地よりなる裏面層を設けたことを特徴とするコースター。
【請求項２】
表面層は、防水性の有るポリエステル糸で織り込んで布状にしたものであることを特徴とする請求項１記載のコースター。
【請求項３】
表面層は、フィルム状のポリエステル材料に凹凸を設けたことを特徴とする請求項１記載のコースター。
【請求項４】
吸水層は、吸水性ポリエステルファイバー或いは不織布よりなる材料で形成したことを特徴とする請求項１乃至３のいずれか記載のコースター。
【請求項５】
裏面層は、下面に凹凸部を設けたことを特徴とする請求項１乃至４のいずれか記載のコースター。
【考案の詳細な説明】
【技術分野】
【０００１】
本考案は、ガラス容器や缶容器等の各種容器の外周面から滴り落ちる水滴をそれら容器の底側で吸収するコースターに関するものである。
【背景技術】
【０００２】
冷えた飲料水や氷等の大気温度より低い温度となる水、氷、シャーベット状のもの等を入れたガラス容器や缶容器等の容器の外周面には、容器の内外の温度差により水滴が発生し、それら水滴は落下し、机上等の容器載置場所を濡らすことになるが、そのことを防止するために吸水性の高い材料よりなるコースターを容器の底側に介在敷設して水滴を吸収している。
【０００３】
しかし、従来のコースターは、吸水性の高い材料が表面に露出しているため、水滴吸収の時間経過とともにその吸収が飽和状態となり表面が濡れたままの現象が生じていた。また、表面側が濡れているため容器底面に水が付着し、容器の持ち上げ時に該コースターが容器とともに持ち上げられてしまったり、更に、該容器の底面から水が机上等に落下していた。
【０００４】
下記する特許文献１には、吸水力の大きな吸水体の表面に水を通しずらい箔状の表面材を重ね合わせ、その表面材に孔部を設けたコースターが記載されているが、表面材は箔状のものであり、容器の持ち上げ時にその底に付着した水で該箔が吸水体から剥がれて持ち上げられるというおそれがあった。
【０００５】
また、容器の底に付着する水を抑える構成はなかった。
【０００６】
更に、下記する特許文献２には、基材層の表裏面に粘着層を設け、表面側はコップ等を置くときにそれらが滑るのを防止し、且つ本考案と同様に、裏面側にテーブルや机上等で本体が滑るのを防止しているが、容器から落ちる水を効率よく吸収するとか、表面側に水が留まることを防止する技術は開示も示唆もされていない。
【先行技術文献】
【特許文献】
【０００７】
【特許文献１】実開平２−１３４０７１号公報
【特許文献２】実用新案登録第３１５７６９４号公報
【考案の概要】
【考案が解決しようとする課題】
【０００８】
本考案は、上記欠点を解決したもので、表面層を吸水性のない柔軟な材料よりなる小孔の有る凹凸面とし、その内側層にやや厚手となる吸水性を有する材料を設け、裏面層として硬い生地よりなる材料を設けることによりコースターを形成している。上記構成により表面層の表面に水滴が留まることなく常に乾いた状態を維持することのできる安定性のあるコースターを提供するものである。
【課題を解決するための手段】
【０００９】
本考案は、小孔の有る凹凸状のポリエステル材料で内側のやや厚手となる吸水性材料よりなる吸水層を被覆して表面層とし、該吸水層の裏面側に硬い生地よりなる裏面層を設けたコースターを特徴とする。
【００１０】
また、上記表面層は、防水性の有るポリエステル糸で織り込んで布状にしたものであるコースターを特徴とする。
【００１１】
更に、上記表面層は、フィルム状のポリエステル材料に凹凸を設けたコースターを特徴とする。
【００１２】
また、吸水層は、吸水性ポリエステルファイバー或いは不織布よりなる材料で形成したコースターを特徴とする。
【００１３】
更に、裏面層は、下面に凹凸部を設けたコースターを特徴とする。
【考案の効果】
【００１４】
本考案のコースターは、容器の外周面に生じた水滴を捕獲し、その水滴を内側層へ導いて吸収させることにより表面側は常に乾燥した状態を維持できることが可能となった。
【００１５】
また、表面層の表面を凹凸面で形成し、且つ常に乾燥状態を維持しているので容器の持ち上げ時にコースターが容器の底に付着して持ち上げられるのを防止することが可能となった。
【００１６】
更に、裏面に凹凸を設けることにより机上等との摩擦力を増加し、且つ中間に水分を吸収する吸水層を設けているので時間経過とともに重量を得ることができ載置の安定したコースターを得ることが可能となった。
【００１７】
また、表面層にはその凹凸を利用して各種色彩や模様又は宣伝文字の印刷或いは凹凸に関係なく各種色彩、模様、文字等を印刷することによりファッション性を高め、宣伝効果を上げることが可能となった。
【図面の簡単な説明】
【００１８】
【図１】本考案のコースターの側面図。
【図２】表面層の凹凸の一実施例を示した一部省略平面図。
【図３】本考案のコースターの他の実施例の側面図。
【考案を実施するための形態】
【００１９】
以下、図面に基づいて本考案の実施例を説明する。
【実施例１】
【００２０】
図１は、本考案のコースター１の側面図を示している。該コースター１は、円形、楕円形或いは四角形や五角形の多角形状のもので、表面側に凹凸の有るポリエステル材料よりなる表面層２を設け、その内側に吸水層３を設け、その裏面側に載置安定性の有る生地よりなる裏面層４を設けて形成している。
【００２１】
表面層２は、防水性の有るポリエステル糸を織り込んで布状に形成し、その縦横の糸間に間隙Ｓ１を設けたもので、その間隙Ｓ１には水分が下層となる吸水層３へ導入するための導入貫通孔５を設けている。
【００２２】
また、ポリエステル材料よりなる緻密なフィルム状表面層に凹凸を設け、その凹部に小孔Ｓ２を設け、該小孔Ｓ２を水分の導入貫通孔５としている。
【００２３】
上記表面層２の表面のポリエステル糸の織り込み或いは適宜手段によって形成した該凹凸により容器底面と表面層２との接触面積を少なくすることができ、且つ、図２に示すように、水の表面張力によりそれらの水が横方向へ移動することなく遮断できる凹部の大きさとその配置とにより容器外周壁から落下した水滴が容器底面の中心部側或いはコースター１の外周部側へ移動することを防止させることができる。従って、容器外周壁から落下した水滴は、コースター１の中心部に回り込むことはなく、また、コースター１の外周部側へ移動することもなく、容器の外周部近辺の導入貫通孔５を主たる通水孔として吸水層３へと導入されることになる。
【００２４】
また、該表面層２の表面には凹凸を適宜模様として形成できる他、様々な印刷或いは織り込んだ模様を設けることによりファッション性を高め、高級感を出すことが可能で、必要により宣伝手段となる図形や文字を設けることも可能である。
【００２５】
吸水層３は、吸水性ポリエステルファイバー或いは不織布等の材料より形成したもので、表面層２の導入貫通孔５より浸入してきた水を吸収し、蓄える層としている。
【００２６】
容器の外周面に生じて落下した水滴を蓄えることになるが、該吸水層３の層厚は３ｍｍ〜８ｍｍのものが適宜選択される。その層厚により該吸水層３が水の飽和状態となることはなく、表面層２に影響を与えることはない。
【００２７】
裏面層４は、ポリエステルや不織布等の硬い生地より形成し、コースター１としての形状を保持すると同時に、机上等への敷設対応を良好とするものである。また、下面に凹凸部を設けることにより机上等との摩擦力を増加させることができ、付着対応を良好とするものである。
【００２８】
また、容器外周壁から落下した水滴は、効率よくコースター１の吸水層３内に留まることになり、時間経過とともにコースター１の重量が増加し、机上等との摩擦力も増加し、使用時において安定感のあるコースター１を得ることが可能である。その後において乾燥させることにより反復使用が可能となる。
【実施例２】
【００２９】
図３は、本考案のコースター６の他の実施例の側面図を示している。該コースター６は、実施例１と同様の外形形状で、表面に凹凸のあるポリエステル材料よりなる表面層７を設け、その内側に吸水層８を設け、裏面層９は凹凸を設けた生地によって形成している。また、表面から吸水層８まで貫通した水分導入貫通孔１０も、実施例１と同様に設けている。
【００３０】
円形、楕円形或いは四角形や五角形等の多角形状の側周面となる端縁部１１に、上記表面層７を形成する材料を回し込んで該端縁部１１を被覆すること或いは別途テープ状防水材料を囲繞して固定することによりコースター６の高級感を醸し出し、付加価値を高めることができる。色彩や模様或いは文字等を印刷した端縁部を利用することもできる。
【符号の説明】
【００３１】
１、６      コースター
２、７      表面層
３、８      吸水層
４、９      裏面層
５、１０    導入貫通孔
１１        端縁部
【図１】
0003186127.tif 000003
【図２】
0003186127.tif 000004
【図３】
0003186127.tif 000005